(57)【要約】      （修正有）【課題】消費者が街中や商店を見て回り、商品を調べ、販売場所を調べ、商品を確認する時間を省き、携帯装置によりアイテム確認、買い物リスト、決済、及びモバイル決済等の作業を迅速に完了可能にできる視覚化撮影ショッピングシステムを提供する。【解決手段】視覚化撮影ショッピングシステムは、携帯装置が物品、商品実物、商品宣伝文、或いはイメージキャプチャした画像に対して識別分析を行い、商品特徴情報を獲得させた後、特徴暗号化データベースのサンプルの特徴との類似度を比較する。比較をパスした場合、使用者は、携帯装置を使用して撮影された情報のアイテム情報を検視可能になる。同時に、携帯装置に属する買い物リストにアイテム情報が自動的に追加され、決済作業確認後、携帯装置に支払いコードが表示されるか、或いは消費者がシステムにより認証された他の支払い方式を選択して決済を行える。【選択図】図１
0003222958.tif 000002
【実用新案登録請求の範囲】
【請求項１】
アプリケーションプログラムがインストールされた携帯装置から撮影情報を取得する視覚化撮影ショッピングシステムであって、
前記視覚化撮影ショッピングシステムは、中央処理モジュールと、商品識別モジュールと、特徴暗号化データベースと、商品データベースと、会員データベースと、通信モジュールと、を備え、
前記商品識別モジュール、前記特徴暗号化データベース、前記商品データベース、前記会員データベース、及び前記通信モジュールは、前記中央処理モジュールにそれぞれ接続され、
前記商品識別モジュールは、前記携帯装置により撮影された前記撮影情報に対して画像分析を行って商品特徴情報を取得した後、前記特徴暗号化データベースに保存された複数のサンプルの特徴情報との類似度を比較し、
前記類似度を比較した結果をパスした場合、前記中央処理モジュールは、前記商品データベースに保存された複数のアイテム情報の検索を行い、前記比較結果に符合する何れか１つの前記アイテム情報を検出すると共に、前記会員データベースに保存された買い物リストに追加し、且つ、前記買い物リストは、前記携帯装置に属し、前記比較結果が符合した前記アイテム情報及び前記買い物リストを前記携帯装置に送信させ、
前記中央処理モジュールは、前記通信モジュールを介して前記携帯装置に対して前記アプリケーションプログラムの商品情報インターフェースに前記アイテム情報を表示させるように要求し、かつ、前記携帯装置に対して前記アプリケーションプログラムの買い物リストインターフェースに前記買い物リストを表示させることを特徴とする前記視覚化撮影ショッピングシステム。
【請求項２】
前記アプリケーションプログラムは、支払いインターフェースを提供し、
前記携帯装置は、前記支払いインターフェースに支払いコードを表示し、且つ、前記支払いコードは、バーコード、２次元バーコード、または暗号化情報が嵌め込まれた電子チケット画像であることを特徴とする請求項１に記載の視覚化撮影ショッピングシステム。
【請求項３】
前記アプリケーションプログラムは、商品広告配信ユニットを提供し、
前記商品広告配信ユニットは、前記商品情報インターフェースに位置され、
前記携帯装置は、前記アプリケーションプログラムの前記商品情報インターフェースに前記アイテム情報に対応する商品映像広告を配信することを特徴とする請求項１に記載の視覚化撮影ショッピングシステム。
【請求項４】
前記中央処理モジュールに接続される広告データベースを更に備え、
前記アプリケーションプログラムは、広告内容インターフェースを提供し、前記広告データベースには店毎に対応する複数のアプリケーションプログラム広告が保存され、且つ、前記中央処理モジュールは、前記携帯装置に対して前記広告内容インターフェースに各前記アプリケーションプログラム広告を表示させるように要求することを特徴とする請求項３に記載の視覚化撮影ショッピングシステム。
【請求項５】
前記中央処理モジュールに接続される広告データベースを更に備え、
前記アプリケーションプログラムは、商品ライブインターフェースを提供し、前記広告データベースには店毎に対応する複数のライブ広告が保存され、且つ、前記中央処理モジュールは、前記携帯装置に対して前記商品ライブインターフェースに前記ライブ広告を配信させるように要求することを特徴とする請求項３に記載の視覚化撮影ショッピングシステム。
【請求項６】
前記中央処理モジュールに接続される画像暗号化・復号化モジュールを更に備え、
前記画像暗号化・復号化モジュールは、暗号化前の前記電子チケット画像に対して暗号化を行うと共に、暗号化後に生成された前記暗号化情報を保存させることを特徴とする請求項２に記載の視覚化撮影ショッピングシステム。
【請求項７】
前記中央処理モジュールに接続される画像暗号化・復号化モジュールを更に備え、
前記画像暗号化・復号化モジュールは、前記携帯装置に属する電子チケットが本物か否か検証を行うように、前記携帯装置に表示される前記暗号化情報が嵌め込まれた前記電子チケット画像に対して復号化を行うことを特徴とする請求項２に記載の視覚化撮影ショッピングシステム。
【請求項８】
前記商品データベースに保存された複数の前記アイテム情報は、商品名、商品画像、販売価格情報、商品説明、商品映像のうちの１種類かそれらの組み合わせであることを特徴とする請求項１に記載の視覚化撮影ショッピングシステム。
【考案の詳細な説明】
【技術分野】
【０００１】
本考案は、クラウドコンピューティング、画像暗号化、画像識別、モバイル決済の技術分野に関し、より詳しくは、携帯装置により、物品、商品実物、商品宣伝文、または画像に対してイメージのキャプチャを行った後、使用者が携帯装置を使用してアイテム確認、買い物リストへの追加、及びモバイル決済を完了可能な視覚化撮影ショッピングシステムに関する。
【背景技術】
【０００２】
通信技術の発達及びインターネットの発展に連れて、多くの消費者がスマートフォンや電子チケットをモバイル決済（Mobile Payment）用のツールとして使用する。例えば、ＮＦＣ技術（Near-field communication）やモバイルバーコード（例えば、BarcodeやQR Code）を表示する等の方式で注文データを確認し、ＬＩＮＥ（登録商標）  ＰＡＹ等で即時決済を完了するようになっている。また、モバイルバーコードは、敷居が最も低く、ほぼ全てのスマートフォンで使用可能であるという長所がある。このため、消費者は、スマートフォンや電子チケットを携帯するのみで多くの店でモバイル決済を完了できる。前案に関連し、例えば、特許文献１の「多次元バーコードによるモバイル決済方法、買手装置及び支払いサーバー機構」の記載、特許文献２の「モバイル決済システム及びその実施方法」の記載などを挙げることができる。
【先行技術文献】
【特許文献】
【０００３】
【特許文献１】台湾特許出願公開第ＴＷ２０１８３７８０６Ａ号明細書
【特許文献２】台湾特許出願公開第ＴＷＩ６０１０７９号明細書
【考案の概要】
【考案が解決しようとする課題】
【０００４】
モバイル決済は消費者の生活を便利にするが、消費者が実店舗で商品を選択購入する場合、商品棚の値札を確認し、棚の商品アイテムに対応しているか否かを確かめて自分で商品を手に取り、店側が値札を貼り間違えているために金額を間違えるという問題を回避させねばならない。また、消費者が選択購入した商品数が多い場合、消費者がレジに行き、決済する際に店側は各商品のバーコードを１つ１つスキャンせねばならず、店側にとっては商品のバーコードに照準を合わせてＰＯＳ端末を操作するのは非常に時間がかかり、消費者がレジに並んで待つ時間が増えた。
【０００５】
また、商品情報が不明な場合、店側に商品内容を確認したり、ネットでデータを探さねばならず、非常に不便であった。このため、従来の購買方式では、消費体験及び決済効率が悪いという問題があった。
【０００６】
以上を鑑み、消費体験を向上させ、商品情報の提供不足という問題を解決させ、店での決済効率を改善させ、安全な支払い方式を備えた、消費者が店に並ぶ時間を減らせる技術を提供することが求められた。
【０００７】
本考案は、このような従来の問題に鑑みてなされたものである。上記課題解決のため、本考案は、視覚化撮影ショッピングシステムを提供することを主目的とする。
【課題を解決するための手段】
【０００８】
上記課題を解決するために、本考案のある態様の視覚化撮影ショッピングシステムは、アプリケーションプログラムがインストールされた携帯装置から撮影情報を取得し、中央処理モジュールと、商品識別モジュールと、特徴暗号化データベースと、商品データベースと、会員データベースと、通信モジュールと、を備える。
【０００９】
商品識別モジュールは、携帯装置によりイメージがキャプチャされた撮影情報に対して画像分析識別を行い、商品の特徴情報を取得した後、特徴暗号化データベースに保存された複数のサンプルの特徴情報との類似度を比較する。類似度を比較した結果をパスした場合、中央処理モジュールは、商品データベースに保存された複数のアイテム情報の検索を行い、比較結果に符合する何れか１つのアイテム情報を検出すると共に、会員データベースに保存された買い物リスト（またはカートという）に追加する。前記買い物リストは、前記携帯装置に属し、比較結果に符合するアイテム情報及び買い物リストは携帯装置に送信されて表示される。最後に、中央処理モジュールは、通信モジュールを介して、携帯装置に対してアプリケーションプログラムの商品情報インターフェースにアイテム情報を表示させるように要求し、携帯装置に対してアプリケーションプログラムの買い物リストインターフェースに買い物リストを表示させる。
【考案の効果】
【００１０】
本考案に係る視覚化撮影ショッピングシステムの実施後に、消費者は携帯装置を使用してアイテム確認、買い物リストへの追加、及びモバイル決済を即時完了できる。或いは、消費者は、システムに登録認証された支払い方式を直接選択して決済可能であり、消費者のショッピング体験が向上するほか、購買取引効率も大きく向上する。
【図面の簡単な説明】
【００１１】
【図１】本考案の一実施形態に係るシステムを示す構成図である。
【図２】本考案の一実施形態に係るシステムを示すフローチャートである。
【図３】本考案の一実施形態に係るシステムインターフェースを示す概略図（一）である。
【図４】本考案の一実施形態に係るシステムインターフェースを示す概略図（二）である。
【図５】本考案の一実施形態に係るシステムインターフェースを示す概略図（三）である。
【図６】本考案の一実施形態に係るシステムインターフェースを示す概略図（四）である。
【図７】本考案の他の実施形態（１）に係るシステムを示す構成図である。
【図８】本考案の他の実施形態（１）に係るシステムインターフェースを示す概略図である。
【図９】本考案の他の実施形態（２）に係るシステムを示す構成図である。
【図１０】本考案の他の実施形態（２）に係るシステムインターフェースを示す概略図である。
【考案を実施するための形態】
【００１２】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１３】
本考案に係る視覚化撮影ショッピングシステム１０は、携帯装置２０から撮影情報Ｄ１を取得させる。視覚化撮影ショッピングシステム１０は、中央処理モジュール１０１と、商品識別モジュール１０２と、特徴暗号化データベース１０２１と、商品データベース１０２２と、会員データベース１０３と、通信モジュール１０４と、画像暗号化・復号化モジュール１０５と、を備える。商品識別モジュール１０２、特徴暗号化データベース１０２１、商品データベース１０２２、会員データベース１０３、通信モジュール１０４、及び画像暗号化・復号化モジュール１０５は、中央処理モジュール１０１にそれぞれ接続される。その中には、
１、視覚化撮影ショッピングシステム１０自体は、実体のあるサーバーであり、バーチャルマシン（Virtual Machine）形式で実体のあるサーバーで運用されるか、またはＶＰＳ（Virtual Private Server）形式で実体のあるサーバーで運用される。
２、中央処理モジュール１０１は、視覚化撮影ショッピングシステム１０の運用及び前記各モジュールの駆動に用いられ、且つ論理演算、演算結果の一時保存、実行コマンド位置の保存等の機能を備える。これは中央処理装置（CPU）でもよい。
３、商品識別モジュール１０２は、携帯装置２０により撮影された撮影情報Ｄ１に対して画像分析を行ってその中から商品特徴情報を獲得させた後、特徴暗号化データベース１０２１に保存された複数のサンプルの特徴情報との類似度を比較する。
４、上述したように、商品識別モジュール１０２が実行させる画像分析は、画像前処理（Image Preprocessing）、特徴抽出プロセス（Feature Extraction）、画像領域分割プロセス（Region Segmentation）等の画像分析処理作業を含み、撮影情報Ｄ１中から商品の特徴を識別する。前記画像前処理は、例えばバイナリ演算（binary）、侵蝕アルゴリズム（erosion）、膨張アルゴリズム（dilation）、オープニングアルゴリズム（opening）、クロージングアルゴリズム（closing）等の方式を実行してノイズを消除したり、画像の細部を増強する。前記特徴抽出プロセスは、主に外観、輪郭、輪郭等の画像の特徴を識別するために用いられる。よって、本実施形態は、好ましい状況において、商品識別モジュール１０２がディープラーニングアルゴリズム（deep learning algorithm）または機械学習アルゴリズム（machine learning algorithm）により、持続的に携帯装置２０から大量の撮影情報Ｄ１を収集し、画像前処理及び特徴抽出等の前記画像分析プロセスの精確性を向上させる。
５、上述したように、類似度を比較した結果パスした場合、商品識別モジュール１０２が商品特徴情報とサンプルの特徴情報との間に高い相似性があるかどうか判断し、中央処理モジュール１０１が商品データベース１０２２に保存された複数のアイテム情報の検索を更に行い、比較結果に符合する何れか１つのアイテム情報Ｄ２を検出して、会員データベース１０３に保存された買い物リストＤ３に追加する。買い物リストＤ３は携帯装置２０に属し、比較結果に符合するアイテム情報及び買い物リストが携帯装置２０に送信される。
６、特徴暗号化データベース１０２１には複数のサンプルの特徴情報が保存され、商品データベース１０２２には複数のアイテム情報が保存される。これらは、それぞれ対応するサンプルの特徴情報との関連が形成される。前記アイテム情報は、商品名、商品画像、販売価格情報、商品説明、商品映像のうちの１種類またはそれらの組み合わせである。
７、通信モジュール１０４は携帯装置２０との通信に用いられ、且つ携帯装置２０は撮影モジュール２０２を有する。アプリケーションプログラム２０１がトリガされると、撮影モジュール２０２に対して作動するように要求する。通信モジュール１０４は、Ｗｉ-Ｆｉ、ブルートゥース（登録商標）、Ｚｉｇｂｅｅ（登録商標）、ＮＦＣ、３Ｇ／４Ｇ、イーサネット（登録商標）のうちの１種類またはそれらが組み合わせられる伝送インターフェースを有し、撮影モジュール２０２は、撮影レンズ及びＣＭＯＳ／ＣＣＤイメージセンサーを有する。
【００１４】
図１に示されるように、画像暗号化・復号化モジュール１０５は、支払い管理ユニット１０５１を有する。その中には、
１、画像暗号化・復号化モジュール１０５は、使用者が最初にアプリケーションプログラム２０１を実行した際に、まず電子チケット画像に対して元画像の暗号化を行い、暗号化後に生成された暗号化情報を保存させる。暗号化情報は、制限されないが、例えば、量子化インデックス変調法（Quantization Index Modulation、QIM）、ベクトル量子化法（Vector Quantization、VQ）、量子化インデックス係数変調（Quantization Index Modulus Modulation、QIMM）、最下位ビット（Least Significant Bit、LSB）のうちの１種類かそれらが組み合わせられるステガノグラフィーアルゴリズム（steganography algorithm）により元の電子チケット画像に隠蔽される。
２、使用者がモバイル決済を行う場合、店側端末が携帯装置２０により表示される電子チケット画像（画像暗号化・復号化モジュール１０５により既に画像合成済みであり、暗号化情報が嵌め込まれている）に対してキャプチャを行い、画像暗号化・復号化モジュール１０５に渡して復号化を行う。
３、画像暗号化・復号化モジュール１０５が復号化を行う際に、２つの電子チケット画像間の画素の差異の比較を行い、或いはデコードソフトウェア（例えば、StegSolve）により電子チケット画像のマルチチャンネル（multiple channel）（例えば、RGB色空間）スキャンを行うことで電子チケット画像中に暗号化情報が何れかの色の最下位ビットに隠蔽されているか否かの確認を行い、または電子チケット画像の属性情報を検視することで電子チケット画像中に暗号化情報を備えたキー（Key）及びフラッグ（Flag）等の文字列が嵌め込まれているか否かの確認を行い、支払い管理ユニット１０５１を駆動させて検証を行う。
４、これにより、支払い管理ユニット１０５１が画像暗号化・復号化モジュール１０５に適合する暗号化情報が保存されているか否かの判断を行い、携帯装置２０に属する電子チケットが本物か否か及び支払いツールの種類の検証を行う。
５、上述したように、前記暗号化情報のデータ構造は、整数（integer）、浮動小数点数（float）、キャラクタ（character）、ブール値（Boolean）等の複数種のデータタイプを更に含む。より具体的には、暗号化情報は、デジタル画像、エレメント（module in pixels）、文字ファイル、タイムスタンプ（timestamp）のうちの１種類かそれらが組み合わせられた情報である。
【００１５】
図１に示されるように、携帯装置２０には、アプリケーションプログラム２０１がインストールされ、ネットワークを通して視覚化撮影ショッピングシステム１０に接続される。アプリケーションプログラム２０１は、商品撮影インターフェース２０１１と、商品情報インターフェース２０１２と、商品広告配信ユニット２０１２１と、買い物リストインターフェース２０１３と、支払いインターフェース２０１４と、を提供する。その中には、
１、携帯装置２０が視覚化撮影ショッピングシステム１０から比較結果に符合するアイテム情報Ｄ２及び買い物リストＤ３を更に受信させた後、中央処理モジュール１０１は、通信モジュール１０４を介して携帯装置２０に対してアプリケーションプログラム２０１の商品情報インターフェース２０１２にアイテム情報Ｄ２を表示するように要求する。商品情報インターフェース２０１２に位置される商品広告配信ユニット２０１２１がトリガされた後、携帯装置２０は、アプリケーションプログラム２０１の商品情報インターフェース２０１２にアイテム情報Ｄ２に対応する商品映像広告を配信させる。更に携帯装置２０は、アプリケーションプログラム２０１の買い物リストインターフェース２０１３に買い物リストＤ３が表示され、且つ携帯装置２０は買い物リストインターフェース２０１３上で買い物リストＤ３のアイテム情報Ｄ２の調整を行うか、アイテム情報Ｄ２に関連する購入数の調整を行い、例えば、購入数を減らす等する。
２、上述したように、携帯装置２０の使用者が決済することを確認すると、使用者の決済動作の確認後に、携帯装置２０がアプリケーションプログラム２０１の支払いインターフェース２０１４に切り換えられ、携帯装置２０の支払いインターフェース２０１４に支払いコードＤ４が表示され、店側端末が支払いコードＤ４に対してスキャンやキャプチャを行って料金を受領し、或いはシステムに登録認証された他の支払い方式を使用者が選択して直接決済を行う。支払いコードＤ４は、バーコード、２次元バーコード、または暗号化情報が嵌め込まれた電子チケット画像であるか、或いはシステムに登録検証された他の支払いコードである。
【００１６】
図１に戻って、図３乃至図６を参照し、本考案に係るアプリケーションプログラム２０１は、トリガされる複数の機能モジュールを提供し、例えば、図示される計算、会計、ウェブサイト、ＩＭクライアント、ソーシャルメディア等の機能モジュールである。計算機能モジュールがトリガされた後、携帯装置２０が買い物リストＤ３のアイテム及び金額情報を計算させ、買い物リストインターフェース２０１３に表示させる。会計機能モジュールは、携帯装置２０をアプリケーションプログラム２０１の支払いインターフェース２０１４に切り換えさせ、携帯装置２０の支払いインターフェース２０１４に支払いコードＤ４を表示させ、店側端末が支払いコードＤ４に対してスキャンやキャプチャを行って料金を受領し、或いは使用者がシステムに登録認証された他の支払い方式を直接選択して決済を行う。また、前記機能モジュールは、非表示フローティングキーであり、アプリケーションプログラム２０１の左右方向にスライドするように操作可能である。前記機能モジュールが５つ以上ある場合、他の機能モジュールが非表示状態となり、且つ使用者が携帯装置２０のタッチパネルをスライドする方向に基づいて順に配列表示される。よって、使用者が将来前記機能モジュールを拡充したい場合に、柔軟に調整可能となり、インターフェースのスペースも占領せず、インターフェースを簡潔に美しく保ち、使用者の操作体験を向上させる。
【００１７】
次に、図１〜６を参照しながら、本考案に係る視覚化撮影ショッピングシステムの実施方法をさらに詳しく説明する。その実施方法は、下記ステップを含む。
１、撮影情報を受信する（Ｓ１）：通信モジュール１０４が携帯装置２０によりキャプチャされた撮影情報Ｄ１を受信させる。携帯装置２０は、アプリケーションプログラム２０１により提供された商品撮影インターフェース２０１１により、物品、商品実物、商品宣伝文、または画像に対するイメージのキャプチャを行い（２次元及び３次元イメージを含む）（図３参照）、携帯装置２０により商品実物の撮影を行うことを例とする。また、Ｓ１の実行前に、画像暗号化・復号化モジュール１０５は、予め暗号化前の前記電子チケット画像に対して暗号化を行うと共に、暗号化後に生成された暗号化情報の保存を行う。
２、類似度を比較する（Ｓ２）：商品識別モジュール１０２により撮影情報Ｄ１に対する画像分析が行われ、その中から商品特徴情報が取得された後、特徴暗号化データベース１０２１に保存された複数のサンプルの特徴情報との類似度が比較される。
３、アイテム情報を検索する（Ｓ３）：Ｓ２の結果パスした場合、商品識別モジュール１０２が商品特徴情報とサンプルの特徴情報との間に高い相似性があるかどうかを判断し、中央処理モジュール１０１が商品データベース１０２２に保存された複数のアイテム情報に対して検索を行い、比較結果に符合する何れか１つのアイテム情報Ｄ２を検出させる。
４、買い物リストに追加する（Ｓ４）：Ｓ３に続いて、中央処理モジュール１０１が検出されたアイテム情報Ｄ２を会員データベース１０３に保存された買い物リストＤ３に追加させ、且つ比較結果に符合するアイテム情報Ｄ２及び買い物リストＤ３を携帯装置２０に送信させる。
５、購入商品を表示する（Ｓ５）：中央処理モジュール１０１が通信モジュール１０４を介して携帯装置２０に対してアプリケーションプログラム２０１の商品情報インターフェース２０１２にアイテム情報Ｄ２を表示するように要求する（図４参照）。本実施形態の好ましい状況では、本ステップの実行時には、商品情報インターフェース２０１２に位置される商品広告配信ユニット２０１２１がトリガされた後、携帯装置２０がアプリケーションプログラム２０１の商品情報インターフェース２０１２にアイテム情報Ｄ２に対応する商品映像広告を配信させる。なお、中央処理モジュール１０１は、通信モジュール１０４を介して携帯装置２０をアプリケーションプログラム２０１の買い物リストインターフェース２０１３に切り換えさせて買い物リストＤ３を表示させる（図５参照）。
６、モバイル決済を完了する（Ｓ６）：Ｓ５に続いて、中央処理モジュール１０１は、通信モジュール１０４を介して携帯装置２０に対して支払いインターフェース２０１４に支払いコードＤ４を表示させ、店側端末によりスキャンやキャプチャを行って料金を受領する（図６参照）。支払いコードＤ４はバーコード、２次元バーコード、または暗号化情報が嵌め込まれた電子チケット画像であるが、但しこれらに限られない。また、画像暗号化・復号化モジュール１０５は、携帯装置２０により表示された暗号化情報が嵌め込まれた前記電子チケット画像に対して復号化を行い、携帯装置２０に属する電子チケットが本物か否かの検証を行う。
【００１８】
また、図７及び図８に示されるように、本考案に係る視覚化撮影ショッピングシステム１０の他の実施形態（１）では、中央処理モジュール１０１に接続される広告データベース１０６を更に備え、携帯装置２０により実行されるアプリケーションプログラム２０１が広告内容インターフェース２０１５を提供し、広告データベース１０６はアプリケーションプログラム広告データ領域１０６１に店毎に対応する複数のアプリケーションプログラム広告ＡＤが保存される。中央処理モジュール１０１は、携帯装置２０による撮影が行われる前に（即ち、図２のＳ１の実行前）、携帯装置２０に対して広告内容インターフェース２０１５に各アプリケーションプログラム広告ＡＤを表示させるように要求する。前記アプリケーションプログラム広告ＡＤのタイプは、バナー広告（AD Banner）（図８参照）であるが、但しこの限りではない。
【００１９】
なお、図９及び図１０に示されるように、本考案に係る視覚化撮影ショッピングシステム１０の他の実施形態（２）では、本実施形態に係る視覚化撮影ショッピングシステム１０の広告データベース１０６は、ライブ広告データ領域１０６２に店毎に対応する複数のライブ広告Ｌｉｖｅが保存される。携帯装置２０により実行されるアプリケーションプログラム２０１は、商品ライブインターフェース２０１６を提供し、中央処理モジュール１０１は、携帯装置２０による撮影の前に（即ち、図２のＳ１の実行前）、携帯装置２０に対して商品ライブインターフェース２０１６にライブ広告Ｌｉｖｅを配信するように要求する（図１０参照）。上述したように、商品識別モジュール１０２が類似度を比較した結果パスした場合、比較結果に符合するアイテム情報及び買い物リストが携帯装置２０に送信された後、中央処理モジュール１０１が携帯装置２０に対して商品ライブインターフェース２０１６に撮影情報Ｄ１に対応するライブ広告Ｌｉｖｅを配信するように直接要求する。即ち、消費者の欲しい商品に対応するライブ広告Ｌｉｖｅを配信することにより、ライブ広告を精確に投入することで有益な効果を達成させる。
【００２０】
以上を総合すると、本考案に係る視覚化撮影ショッピングシステムの実施後に、店側は商品バーコードを１つ１つスキャンする必要がなくなり、消費者が携帯装置を使用してアイテム確認、買い物リストへの追加、及び安全な方式でのモバイル決済を即時完了可能になる。これにより、消費体験の向上、取引の効率化、及び消費者が店に並ぶ時間の省略等の有益な効果を少なくとも達成させる。また、従来のショッピングでは、消費者が自分で商品棚の値札を確認し、棚に対応する商品アイテムが自分が手に取った商品であるかどうか確認することで、店側が値札を貼り間違えたことにより生じる金額の計算ミス問題を解決させる。
【００２１】
上述の実施形態は本考案の技術思想及び特徴を説明するためのものにすぎず、当該技術分野を熟知する者に本考案の内容を理解させると共に、これをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２２】
１０  視覚化撮影ショッピングシステム
１０１  中央処理モジュール
１０２  商品識別モジュール
１０２１  特徴暗号化データベース
１０２２  商品データベース
１０３  会員データベース
１０４  通信モジュール
１０５  画像暗号化・復号化モジュール
１０５１  支払い管理ユニット
１０６  広告データベース
１０６１  アプリケーションプログラム広告データ領域
１０６２  ライブ広告データ領域
ＡＤ  アプリケーションプログラム広告
Ｌｉｖｅ  ライブ広告
Ｄ１  撮影情報
Ｄ２   アイテム情報
Ｄ３   買い物リスト
Ｄ４   支払いコード
２０   携帯装置
２０１  アプリケーションプログラム
２０２  撮影モジュール
２０１１  商品撮影インターフェース
２０１２  商品情報インターフェース
２０１２１  商品広告配信ユニット
２０１３  買い物リストインターフェース
２０１４  支払いインターフェース
２０１５  広告内容インターフェース
２０１６  商品ライブインターフェース
Ｓ１   撮影情報を受信する
Ｓ２   類似度を比較する
Ｓ３   アイテム情報を検索する
Ｓ４   買い物リストに追加する
Ｓ５   購入商品を表示する
Ｓ６   モバイル決済を完了する
【図１】
0003222958.tif 000003
【図２】
0003222958.tif 000004
【図３】
0003222958.tif 000005
【図４】
0003222958.tif 000006
【図５】
0003222958.tif 000007
【図６】
0003222958.tif 000008
【図７】
0003222958.tif 000009
【図８】
0003222958.tif 000010
【図９】
0003222958.tif 000011
【図１０】
0003222958.tif 000012